(57)【要約】【課題】栽培物の生産性や出荷効率を向上させることができ、且つ栽培物の提供態様の自由度に優れる栽培システムを提供する。【解決手段】本発明の栽培システムは、内部空間を囲む側面部（１１）の上端外縁に外側へ突出する外側突出部（２０）を有する栽培容器（１０）と、上下方向に向けて立設される支柱部（３０、５０、７２、７５）と、支柱部に取り付けられ、複数の栽培容器の外側突出部を下方から支持する容器支持部（３１、３６、５１、５２、７６、７７）と、を備え、栽培容器が支柱部に対して傾けられて容器支持部により支持される。【選択図】図５
2020184927.tif 000002
【特許請求の範囲】
【請求項１】
内部空間を囲む側面部の上端外縁に、外側へ突出する外側突出部を有する栽培容器と、
上下方向に向けて立設される支柱部と、
前記支柱部に取り付けられ、複数の前記栽培容器の前記外側突出部を下方から支持する容器支持部と、を備え、
前記栽培容器は、前記支柱部に対して傾けられて前記容器支持部により支持されることを特徴とする栽培システム。
【請求項２】
前記支柱部に対して上下方向に位置変更が可能な複数の前記容器支持部を備えることを特徴とする請求項１に記載の栽培システム。
【請求項３】
前記容器支持部は、前記支柱部を中心とする周方向に位置を異ならせて複数の支持縁部を有し、それぞれの前記支持縁部によって前記栽培容器の前記外側突出部を支持し、該支持状態で前記栽培容器は、上方へ向かうにつれて前記支柱部からの距離を大きくするように傾くことを特徴とする請求項１又は請求項２に記載の栽培システム。
【請求項４】
前記栽培容器の前記外側突出部は、前記側面部の上端に対して下方に向かう折返し形状であり、
前記容器支持部は、前記支柱部に支持される板状部の縁部から上方に突出する形状であり、
前記折返し形状の前記外側突出部の内側に前記容器支持部が係合して前記栽培容器が支持されることを特徴とする請求項３に記載の栽培システム。
【請求項５】
前記支柱部が上下方向に向く軸を中心に回転可能であることを特徴とする請求項３又は請求項４に記載の栽培システム。
【請求項６】
前記容器支持部は、複数の前記支柱部に懸架されて水平方向へ平行に延びる第１支持部と第２支持部とを有し、前記第１支持部が前記第２支持部よりも上方に位置し、
前記第１支持部と前記第２支持部によって前記栽培容器の前記外側突出部を支持し、該支持状態で前記栽培容器は、前記第１支持部に支持される側を高くするように傾くことを特徴とする請求項１又は請求項２に記載の栽培システム。
【請求項７】
前記支柱部を挟んで二組の前記第１支持部及び前記第２支持部が設けられ、それぞれの前記第１支持部が前記第２支持部よりも前記支柱部に近く位置し、
二組の前記第１支持部及び前記第２支持部に支持される前記栽培容器はそれぞれ、上方へ向かうにつれて前記支柱部からの距離を大きくするように傾くことを特徴とする請求項６に記載の栽培システム。
【請求項８】
前記第１支持部及び前記第２支持部により支持される前記栽培容器の下方の空間に、前記第１支持部及び前記第２支持部と略平行に延びる流体流通管を備え、
前記流体流通管の内部を通る流体によって前記栽培容器の周辺空間の温度調整を行うことを特徴とする請求項６に記載の栽培システム。
【請求項９】
前記栽培容器への給水や前記栽培容器からの排水を行わせる給排水用部材が、前記支柱部に直接又は間接に取り付けられることを特徴とする請求項１から請求項８のいずれか１項に記載の栽培システム。
【請求項１０】
前記栽培容器は上端側に向けて広がる四角錐状であり、４つの前記側面部の上端外縁に位置する４つの前記外側突出部を有することを特徴とする請求項１から請求項９のいずれか１項に記載の栽培システム。
【請求項１１】
内部空間を囲む側面部の上端外縁に、外側へ突出する外側突出部を有する栽培容器と、
上下方向に向けて立設される支柱部と、
前記支柱部に取り付けられ、複数の前記栽培容器の前記外側突出部を下方から支持する容器支持部と、を備え、
前記支柱部に対して前記栽培容器を傾けて前記容器支持部により支持させることを特徴とする栽培物の提供方法。
【発明の詳細な説明】
【技術分野】
【０００１】
本発明は、栽培システム及び栽培物の提供方法に関する。
【背景技術】
【０００２】
近年、農業における収益性の向上が課題とされている。収益性を上げるには、生産や出荷の効率を高めることや、付加価値をつけてエンドユーザーに産品を提供することが求められる。
【０００３】
出願人は、植物を栽培する目的や用途に応じて構成を変更でき、既存の培地容器に比べて栽培作業や産品提供の融通性に優れる植物栽培用のプランターを提案した（特許文献１）。
【先行技術文献】
【特許文献】
【０００４】
【特許文献１】実用新案登録第３２１３８６７号公報
【発明の概要】
【発明が解決しようとする課題】
【０００５】
例えば、高い収益性を見込める作物として、苺が着目されている。従来の苺栽培は、ハウス内などの圃場において固定されたレイアウトで栽培して収穫を行い、選果を経て市場に出荷するという生産形態が主流であった。このような従来の栽培システムは、苗の養生から果実を収穫して出荷するまでにかかる期間が長く、苺の成り疲れなどの低迷期も回避できないため、圃場を効率的に運用して安定した収量を維持することが難しかった。また、大規模な選果場、大型の冷蔵庫、出荷梱包用の設備資材などを要し、これらを導入するために大きなコストがかかっていた。
【０００６】
圃場の単位面積あたりの収量増加を狙って、苺の株を可能な限り密植することが行われる。しかし、連続する培地容器や土壌に苺の株を密植すると、株の間隔が狭くなり、葉掻きや花芽の整理などの手入れを行いにくくなるという問題がある。また、培地を通して伝染する土壌病害にも弱くなる。さらに、株ごとの栽培環境（日照量や温度）のばらつきを緩和しようとすると、栽培システム全体の大掛かりな移動や調整が必要になり、多大な手間とコストを要する。
【０００７】
苺の栽培までを農家が行い、摘み取りをエンドユーザーが行う、摘み取り体験型の産品提供も広く行われている。摘み取り体験型の産品提供は、選果、収穫、出荷の工程を省略できるという利点がある。その一方で、集客のためのマーケティングやそれに合わせた生産量の調整が難しく、長期間に亘って安定した量の苺の供給を行って摘み取り体験を実現することは困難であった。
【０００８】
本発明は、以上のような問題点に鑑みてなされたものであり、栽培物の生産性や出荷効率を向上させることができ、且つ栽培物の提供態様の自由度に優れる栽培システムを提供することを目的とする。
【０００９】
本発明はまた、栽培物の出荷効率や栽培物の提供態様の自由度に優れる栽培物の提供方法を提供することを目的とする。
【課題を解決するための手段】
【００１０】
本発明の栽培システムは、内部空間を囲む側面部の上端外縁に、外側へ突出する外側突出部を有する栽培容器と、上下方向に向けて立設される支柱部と、支柱部に取り付けられ、複数の栽培容器の外側突出部を下方から支持する容器支持部と、を備え、栽培容器は、支柱部に対して傾けられて容器支持部により支持されることを特徴とする。
【００１１】
本発明はまた、前記の栽培容器と支柱部と容器支持部とを備え、支柱部に対して栽培容器を傾けて容器支持部により支持させる栽培物の提供方法であることを特徴とする。
【発明の効果】
【００１２】
本発明の栽培システム及び栽培物の提供方法によると、栽培容器の着脱や入れ替えが容易であり、栽培容器ごとの手入れの作業性向上や、栽培容器ごとの高度な生育管理や出荷管理を実現できる。また、支柱部に対して傾けられて吊り下げる形で栽培容器を支持するので、立体的なレイアウトで効率的な栽培を行いつつ、それぞれの栽培容器において良好な栽培環境を確保できる。従って、栽培物の生産性や出荷効率を向上させると共に、栽培物の提供態様の自由度に優れる栽培システムを得ることができる。また、栽培物の出荷効率や栽培物の提供態様の自由度に優れる栽培物の提供方法を得ることができる。
【図面の簡単な説明】
【００１３】
【図１】本実施の形態の栽培システムで用いるプランターの側面図である。
【図２】プランターの平面図である。
【図３】図２のIII-III線に沿うプランターの断面図である。
【図４】プランターの内部に取り付け可能な底受け部材を示す図であり、（Ａ）は側面図、（Ｂ）は平面図である。
【図５】第１の形態の栽培システムを構成するツリー型の立体栽培ユニットの側面図である。
【図６】ツリー型の立体栽培ユニットを構成する支持板を示す図であり、（Ａ）は側面図、（Ｂ）は平面図である。
【図７】ツリー型の立体栽培ユニットの平面図である。
【図８】ツリー型の立体栽培ユニットの変形例を示す平面図である。
【図９】ツリー型の立体栽培ユニットの変形例を示す平面図である。
【図１０】ツリー型の立体栽培ユニット全体の側面図である。
【図１１】複数のツリー型の立体栽培ユニットで構成した栽培システムの使用例を示す平面図である。
【図１２】第２の形態の栽培システムを構成するラック型立体栽培ユニットの正面図である。
【図１３】ラック型立体栽培ユニットの一部を示す正面図である。
【図１４】ラック型立体栽培ユニットの側面図である。
【図１５】複数のラック型立体栽培ユニットで構成した栽培システムの使用例を示す正面図である。
【図１６】ラック型の立体栽培ユニットを構造体として利用した農業ハウスの構成例を示す図である。
【図１７】ラック型の立体栽培ユニットを構造体として利用した農業ハウスの構成例を示す図である。
【図１８】ラック型の立体栽培ユニットを含む構造体によって、パイプ型ビニールハウスを支持した構成例を示す図である。
【図１９】第３の形態の栽培システムである温度管理システムの側面図である。
【図２０】温度管理システムの正面図である。
【図２１】温度管理システムの斜視図である。
【図２２】温度管理システムの構成例を示す平面図である。
【発明を実施するための形態】
【００１４】
以下、本発明を適用した栽培システムの実施の形態について、添付図面を参照して説明する。栽培システムで栽培される作物や植物を、以下の説明中では栽培物と総称する。本実施の形態は栽培物として主に苺を想定しているが、本発明の栽培システムは苺以外の栽培物にも適用が可能である。
【００１５】
図１から図３は、本実施の形態の栽培システムに用いられる栽培容器の一例であるプランター１０を示している。プランター１０は、ポリプロピレン（ＰＰ）やポリエチレンテレフタレート（ＰＥＴ）などの合成樹脂材で形成されている。プランター１０を形成する材料の種類や、材料に含有させる顔料の割合などによって、プランター１０における光透過率を任意に設定することができる。例えば、プランター１０を半透明にして内部状態を観察可能にすることで、栽培管理や農業教育に役立てたり、視覚的効果（デザイン性）を高めたりすることができる。
【００１６】
プランター１０は、上端側から下端側に向けて断面積を徐々に小さくする四角錐形状（逆四角錐台形状）である。プランター１０の中心を通って上端側と下端側を最短距離で結ぶ中心線Ｃ１を、図１と図６（Ａ）に示した。プランター１０は、側面を形成する４つの傾斜側面部１１と、底面を形成する底面部１２とを有し、底面部１２とは反対側の上端部が開口している。２つの傾斜側面部１１が中心線Ｃ１を挟んで対称に配置され、残る２つの傾斜側面部１１が中心線Ｃ１を挟んで対称に配置されている。底面部１２は、各傾斜側面部１１に連続して形成されており、傾斜側面部１１から離れて中心線Ｃ１側に進むにつれて径を小さくするすり鉢状の内面を有している。
【００１７】
プランター１０の内側には、傾斜側面部１１と底面部１２によって囲まれる内部空間Ｓ１（図２、図３、図２１参照）が形成される。内部空間Ｓ１に培土や肥料などを入れて栽培物を植える。内部空間Ｓ１の容積は、栽培物の種類や栽培システムの仕様に対応して適宜設定可能である。例えば、内部空間Ｓ１の容積を３リットル程度にすると、個々のプランター１０をハンドリングしやすく、苺を含む多様な栽培物に対応させやすい。
【００１８】
プランター１０には、底面部１２の中央から下方へ向けて突出する円筒状の排水筒１３が設けられる。排水筒１３の内側には、上下方向に貫通して内部空間Ｓ１に通じる貫通穴が形成されている。プランター１０内の水は、重力によって底面部１２側に進み（落ち）、各底面部１２の傾斜によって排水筒１３に導かれる。排水筒１３が塞がれていない状態では、排水筒１３を通して下方に水が排出（落下）される。図３に示すように、排水筒１３に対して底蓋１４を着脱可能である。底蓋１４は、嵌合やネジ込みなどによって排水筒１３に取り付けられる。底蓋１４を取り付けることによって排水筒１３の下端が水密に塞がれて、内部空間Ｓ１に水を貯留することができる。
【００１９】
プランター１０内には、図４に示す底受け部材１６を入れることができる。底受け部材１６は、内部空間Ｓ１における土量調整、培土の詰まり防止、通気性確保、排水性（水はけ）の確保などを目的として用いられる。底受け部材１６は、底面網部１７とスペーサーコーン１８を有している。
【００２０】
図４（Ｂ）に示すように、底面網部１７は、平面視で概ね正方形である枠体１７ａの内側に網状部１７ｂを有している。網状部１７ｂには細かい複数の開口部（穴や貫通溝）が形成され、これらの開口部によって通気性及び通水性が得られる。枠体１７ａから複数の突起部１７ｃが突出している。
【００２１】
スペーサーコーン１８は、底面網部１７の中央部から突出する複数本の傾斜柱状部１８ａを環状に配置して構成されている。傾斜柱状部１８ａは、底面網部１７に対して突起部１７ｃとは反対側に突出している。複数の傾斜柱状部１８ａは、底面網部１７から離れるにつれて互いの間隔を狭くしており、スペーサーコーン１８を側方から見ると円錐状になっている（図４（Ａ）参照）。スペーサーコーン１８の内側には貫通物Ｔを通すことができる。貫通物Ｔは、プランター１０の底部側から水を吸い上げる吸水スティックや、栽培物を支える棒などである。
【００２２】
底受け部材１６は、スペーサーコーン１８を上向きにする上向き配置（図１）と、スペーサーコーン１８を下向きにする下向き配置（図３）を選択して、プランター１０の内部空間Ｓ１に設置することができる。図１に示すように、底受け部材１６の上向き配置では、底面網部１７の枠体１７ａが４つの傾斜側面部１１の下端付近の内側に嵌まると共に、複数の突起部１７ｃの一部が底面部１２により支えられることで、底受け部材１６の位置が定まる。そして、底受け部材１６の上向き配置では、底面網部１７が底面部１２に近い（低い）位置にある。図３に示すように、底受け部材１６の下向き配置では、スペーサーコーン１８を構成する複数の傾斜柱状部１８ａが、排水筒１３に挿入されている。先端側に向けて徐々に外径を小さくするスペーサーコーン１８は、排水筒１３の内面に押し付けられて位置が定まる。そして、底受け部材１６の下向き配置では、上向き配置に比べて、底面網部１７が底面部１２から遠い（高い）位置にある。
【００２３】
このように、底受け部材１６を上向き配置にすると、内部空間Ｓ１内で底面網部１７を低く位置させ、底受け部材１６を下向き配置にすると、内部空間Ｓ１内で底面網部１７を高く位置させることができる。底面網部１７の位置が低くなる上向き配置は、プランター１０の内部空間Ｓ１に多くの培土を入れることが可能な培土優先タイプの栽培環境になる。底面網部１７の位置が高くなる下向き配置は、水はけ性に優れる水はけ重視タイプの栽培環境になる。
【００２４】
また、図３に示すように、底受け部材１６を下向き配置にした上で、排水筒１３に底蓋１４を取り付けて、内部空間Ｓ１のうち底面網部１７よりも下方に水Ｗを貯留することもできる。この場合、底面網部１７を底面部１２から離した高床状態にすることで、底面網部１７の下方の貯水スペースが広く確保される。そして、スペーサーコーン１８の内側に吸水スティック（図４（Ａ）に示す貫通物Ｔの一例）を通して、吸水スティックによって下方の貯水スペースから水Ｗを吸い上げて培地に供給させる。一例として、苺の栽培では、この底面給水方式によって、数日から１週間程度に亘って外部からの水やりを不要にできる。
【００２５】
さらに、排水筒１３から底蓋１４を取り外して、プランター１０の下方の貯水桶から排水筒１３を通して水を吸い上げて、プランター１０内の培地に水を供給する形態も可能である。
【００２６】
プランター１０のそれぞれの傾斜側面部１１には、上下方向に延びる縦溝部１９が形成されている。縦溝部１９は、プランター１０の内面（内部空間Ｓ１）側ではＶ字状断面の凹部であり、プランター１０の外面側では楔状断面の凸部であり、プランター１０の上端側で幅が広く、下方に進むにつれて幅が狭くなる。図１から図３に示す構成例では、４つの傾斜側面部１１のそれぞれに５つずつの縦溝部１９が形成されているが、各傾斜側面部１１に形成する縦溝部１９の数はこれに限定されない。
【００２７】
傾斜側面部１１に縦溝部１９を形成することにより、内部空間Ｓ１の内面形状が複雑化される。これにより、プランター１０に植えた栽培物の根がプランター１０に内側に絡みつきやすくなり、栽培物を安定させる効果が得られる。下方に向けて幅を小さくしながら延びる縦溝部１９の形状は、水はけを良くする効果も得られる。また、縦溝部１９によって傾斜側面部１１の断面剛性が高くなり、プランター１０全体の強度が向上する。縦溝部１９には、プランター１０における意匠性を向上させる効果もある。
【００２８】
プランター１０の上端外縁には、外側に突出する折返し部（外側突出部）２０が形成されている。４つの傾斜側面部１１に対応して、上端側の４辺に沿って折返し部２０が設けられている。それぞれの折返し部２０は、傾斜側面部１１の上端部を外側に折り返して、傾斜側面部１１から徐々に離れながら下方に延びる、裾広がりの折返し形状（カール形状）になっている。傾斜側面部１１の上端部から折返し部２０につながる部分は、滑らかに湾曲している。傾斜側面部１１と折返し部２０の間に、下向きに開口する上縁係合空間Ｓ２（図１、図３）が形成される。図２のようにプランター１０を平面視すると、上端側の４辺に沿う折返し部２０の外形は概ね正方形状になる。
【００２９】
以上の構成のプランター１０は、非使用時や運搬時には、互いの内部空間Ｓ１に順次挿入して複数個を重ねることができる。重ねることで、複数のプランター１０を省スペースに保管でき、運搬も行いやすくなる。図２に示すように、プランター１０は、中心線Ｃ１を中心とする回転方向で９０°ごとに同一形状が現れる構成であるため、プランター１０どうしの複雑な位置合わせを要さずに、簡単に重ね合わせることができる。また、複数の縦溝部１９は、プランター１０を重ねるときに挿入を案内するガイド部や、重ねられたプランター１０どうしの位置ずれを抑制する嵌合部として機能する。
【００３０】
続いて、図５から図１１を参照して、プランター１０を用いる栽培システムの第１の形態を説明する。この栽培システムは、自立するツリー型の立体栽培ユニットＵ１によって構成される。立体栽培ユニットＵ１は、上下方向に向けて立設される支柱（支柱部）３０と、支柱３０に取り付けられる支持板（容器支持部）３１とを備えている。支柱３０は内部が中空のパイプからなり、支柱３０の外面と内面が同心状の円筒面になっている。支柱３０は、高い剛性と軽量さを兼ね備えることが好ましい。一例として、アルミニウム性のパイプ材によって支柱３０を形成することができる。支柱３０を地面Ｇ（図１０）に対して略垂直に立てた状態で、支柱３０の中心を通って上下方向に延びる中心線Ｃ２を、図５、図６（Ａ）、図１０に示した。
【００３１】
図６（Ｂ）に示すように、支持板３１は、平面視で概ね正方形状をなすベース部（板状部）３２を有し、ベース部３２の中央に円筒状のスリープ３３が設けられている。スリープ３３は、ベース部３２と一体に形成しても良いし、ベース部３２とは別に形成して取り付けてもよい。スリープ３３の内径は支柱３０の外径よりも僅かに大きく、スリープ３３に支柱３０を挿入して、支柱３０に沿って支持板３１を上下方向にスライドさせることができる。また、支柱３０を中心にして、支持板３１の回転方向位置を変化させることができる。スリープ３３を貫通する固定ネジ３４を締め付けると、固定ネジ３４の先端が支柱３０の外面に押し付けられて、支持板３１が支柱３０に対して固定される。
【００３２】
ベース部３２の外縁には、上方へ向けて突出する板状の支持縁部３５が形成されている。ベース部３２の外形を構成する４辺に沿って、４つの支持縁部３５が設けられている。一例として、ベース部３２を金属製とした場合、プレス成形などによって支持縁部３５を形成することができる。個々の支持縁部３５の長さは、プランター１０における個々の折返し部２０の長さに対応している。また、個々の支持縁部３５の厚みは、プランター１０における上縁係合空間Ｓ２に進入可能に設定されている。
【００３３】
支持板３１に対してプランター１０が取り付けられる。支持板３１の支持縁部３５をプランター１０の上縁係合空間Ｓ２に挿入させることによって、支持縁部３５に折返し部２０が係合して（支持縁部３５が折返し部２０を下方から支持して）、プランター１０が支持板３１に支持される。
【００３４】
プランター１０は、４つの折返し部２０がいずれも支持縁部３５に係合可能であるため、１つの支持縁部３５に対して４通りの向きで取り付けることができる。言い換えれば、立体栽培ユニットＵ１に対するプランター１０の取り付けの向きは、４つの折返し部２０のうちいずれを支持縁部３５に係合させるかによって選択できる。そして、プランター１０に植えた栽培物の状態などに応じて、プランター１０の最適な向きを選択して取り付ける。例えば、栽培物が苺の場合、ランナー（匍匐茎）の反対側に花や実を成らせる性質を持つため、ランナーが内側（支柱３０側）を向くようにプランター１０の向きを設定するとよい。これにより、支柱３０を中心とする半径方向の外側寄りに花や実が成り、手入れや収穫を行いやすくなる。角錐型のプランター１０は、支持板３１に対する取り付け方向の選択及び変更が容易であり、一株ごとの方向設定を簡単に行える。
【００３５】
図５や図６（Ａ）に示すように、プランター１０の上端側の４辺に設けた折返し部２０のうち１つが支持縁部３５に掛けられて吊り下げられた状態になるため、支持縁部３５と折返し部２０の係合部分を支点としてプランター１０が傾いて支持される。より詳しくは、図６（Ａ）に示すように、支持板３１によってプランター１０を支持すると、プランター１０の中心線Ｃ１が、上方に進むにつれて支柱３０の中心線Ｃ２から離れるような傾きになる。つまり、プランター１０の上端が、支柱３０に対して斜め外向きになって支持される。本実施形態では、支柱３０の中心線Ｃ２に対するプランター１０の中心線Ｃ１の角度を１５°前後に設定している。
【００３６】
プランター１０は、支持縁部３５に折返し部２０を係合させると自重によって安定するので、固定具を用いずに取り付けることができる。また、プランター１０を吊り下げて支持するので、プランター１０の底面部分に自立させるための構造を設けなくて済み、プランター１０の形状の自由度が高くなる。従って、底面側から排水筒１３が突出する形状にすることができる。
【００３７】
図５に示すように、プランター１０の下端付近に位置するように別の支持板３１を取り付けると、この別の支持板３１の支持縁部３５の側面に対してプランター１０の排水筒１３付近が当接して、プランター１０がそれ以上大きく傾かないようにできる。つまり、プランター１０の取り付け角（支柱３０に対する傾き角）を安定させることができる。
【００３８】
支持板３１からプランター１０を取り外す際には、図６（Ａ）に示すように、プランター１０の下端を支柱３０から離れるように傾ける。この状態でプランター１０を上方へ移動させると、上縁係合空間Ｓ２から支持縁部３５が抜けてプランター１０が外れる。
【００３９】
このように、支持板３１に対してプランター１０を簡単に着脱させることができる。折返し部２０が下方に向けての裾広がり形状であるため、上縁係合空間Ｓ２に支持縁部３５を進入させる取り付け時と、上縁係合空間Ｓ２から支持縁部３５を離脱させる取り外し時のいずれも、引っ掛かりを生じずにスムーズにプランター１０を移動させやすい。
【００４０】
支持板３１は、支柱３０を中心とする周方向に位置を異ならせて４つの支持縁部３５を有するので、１段の支持板３１には、周方向に位置を異ならせて４つのプランター１０を取り付けることができる（図７参照）。支持板３１に取り付けられる４つのプランター１０の周方向位置がそれぞれ異なるため、個々のプランター１０は、他のプランター１０によって妨げられずに容易に着脱可能である。
【００４１】
立体栽培ユニットＵ１は、複数のプランター１０を上下方向に位置を異ならせて支持する多段構成であり（図５、図１０参照）、１つの支柱３０に対して、上下方向に位置を異ならせて複数の支持板３１を取り付ける。
【００４２】
図８は、上下方向に並ぶ関係にある複数の支持板３１を、周方向の位相を異ならせて配置した例を示す。具体的には、２つの支持板３１を、支柱３０を中心とする周方向で互いに４５°角度を異ならせて配置したものである。これにより、上段側の支持板３１に支持される４つのプランター１０と、下段側の支持板３１に支持される４つのプランター１０が、周方向で互いにずれた位置関係になる。その結果、下段側のプランター１０への日照量が上段側のプランター１０によって妨げられにくくなり、各段のプランター１０の採光性の条件を揃えやすくなる。
【００４３】
プランター１０を支持する支持板は、上述した支持板３１のような正方形状に限られるものではない。例えば、図９は、五角形状の支持板（容器支持部）３６によって、５つのプランター１０を支持する構成を示している。支持板３６は、平面視で概ね正五角形をなすベース部（板状部）３７の５つの辺に沿って、５箇所の支持縁部３８を有している。各支持縁部３８に対して、プランター１０の折返し部２０を引っ掛けて支持させることができる。
【００４４】
さらに異なる例として、三辺にそれぞれ支持縁部を有する三角形状の支持板や、六辺にそれぞれ縁掛け部を有する六角形状の支持板や、７つ以上の辺にそれぞれ支持縁部を有する多角形状の支持板などを用いることもできる。また、支柱３０を挟んで位置する２箇所にのみ支持縁部を有するような支持板を用いてもよい。このように、立体栽培ユニットＵ１の各段を構成する支持板は、様々な形状や構成を選択可能である。
【００４５】
また、立体栽培ユニットＵ１の各段に取り付けられるプランター１０の数を異ならせることが可能である。例えば、下方の段から上方の段に進むにつれて、取り付けられるプランター１０の数が少なくなるようにする構成や、取り付けられるプランター１０の数が多い段と数が少ない段が交互に現れるような構成も選択可能である。
【００４６】
以上のように、支柱３０に取り付けた支持板３１（３６）を介して複数のプランター１０を支持する立体栽培ユニットＵ１は、プランター１０の支持態様の自由度が高い。そして、１つの支持板により支持するプランター１０の数や位置は、支持板の形状や取り付け位置などに応じて適宜変更することができる。立体栽培ユニットＵ１全体に取り付けるプランター１０の数を増やせば、単位面積あたりの収量を増加させることができる。但し、支柱３０を中心とする周方向や支柱３０に沿う上下方向で隣り合うプランター１０があまりに近接していると、一部のプランター１０への日照が遮られたり、各プランター１０に植えられている栽培物の葉などが干渉したりするおそれがある。そのため、プランター１０の配置密度（１つの支持板が支持するプランター１０の数や、複数の支持板の上下方向の間隔）は、栽培物の生育に支障のない範囲で設定される。
【００４７】
１本の支柱３０に対して多段にプランター１０を取り付けて構成した、ツリー型の立体栽培ユニットＵ１の全体構造を図１０に示す。図１０の構成例では、上下方向でのプランター１０の支持段数を５段としている。支柱３０の下端は脚部４０に挿入され、脚部４０が地面Ｇに支持されている。地面Ｇは、圃場の地面に限らず、建物内の床や建物の屋上などでもよい。支柱３０は脚部４０に対して、上下方向に向く中心線Ｃ２を軸として回転可能に支持されている。
【００４８】
先に述べたように、個々のプランター１０は、上端側が支柱３０から離れるように傾けられて支持されている。また、支持板３１（３６）に支持される各段のプランター１０は、支柱３０を囲むようにぶら下げて支持されている。これにより、各段の支柱３０に支持される複数のプランター１０に植えた栽培物に対して、斜め上方からの光線が遮られずに到達しやすくなる。その結果、上下方向へ多段に栽培物を配置しても日照不足が生じにくく、スペース効率を高めた密植状態と、良好な生育環境とを両立させることができる。
【００４９】
また、支柱３０の周りに複数のプランター１０を多段に吊り下げて支持する構造は、プランター１０の本体部分の周囲が複雑な構造体によって囲まれないため通気性に優れており、立体栽培ユニットＵ１の上部などに熱がこもりにくい。そして、各プランター１０の周りに空間が確保されるので、栽培物に対する温度管理も行いやすい。
【００５０】
脚部４０に対して支柱３０を回転可能にすることで、複数のプランター１０の向きを自在に変化させることができる。例えば、日照方向の変化に応じて支柱３０の回転角度を適宜変化させることで、各プランター１０への日照ムラを防ぐことができる。この支柱３０の回転は、作業者が手動で操作したり、モータなどの駆動源による駆動で行ったりできる。駆動源によって回転させる場合、日照状態などを検出する光センサを備え、光センサの検出内容に応じて、適切な位置に支柱３０を自動的に回転させることも可能である。
【００５１】
立体栽培ユニットＵ１は、プランター１０に対する給水と排水を循環させる構成を備えている。図５と図１０を参照して、立体栽培ユニットＵ１の給排水システムを構成する要素（給排水用部材）について説明する。
【００５２】
図１０に示すように、脚部４０内には貯水タンク４１が設けられており、導水管４６を通して貯水タンク４１に水が送られる。貯水タンク４１は、支柱３０を囲む環状に形成されている。貯水タンク４１に貯留された水は、ポンプ（図示略）によって給水チューブ４２内に送られる。給水チューブ４２は円筒状の支柱３０の内部を通されており、給水対象であるプランター１０に近い位置で支柱３０の外部に引き出されて、支持板３１などに支持される（図５参照）。給水チューブ４２の上端は逆Ｕ字状に屈曲してプランター１０に差し込まれ、貯水タンク４１から給水チューブ４２に送られた水がプランター１０の内部空間Ｓ１に供給される。
【００５３】
図５に示すように、各段のプランター１０の下方には、受水皿４３が配置される。受水皿４３は中央に円形状の穴を有しており、この穴に支柱３０を挿通させてスライドさせることで、上下方向での受水皿４３の位置を調整可能である。図示を省略する固定ネジを締め付けると、受水皿４３が支柱３０に対して固定される。
【００５４】
図５に示すように、受水皿４３は、支柱３０を囲む円環状の受水凹部４４を有する。支持板３１に支持されているプランター１０の排水筒１３が受水凹部４４の直上に位置し、プランター１０の内部空間Ｓ１から排水筒１３を通して流れ出た水が受水凹部４４に落ちる。受水凹部４４の底部には水抜き用の穴が形成され、この穴に排水チューブ４５が接続している。排水チューブ４５は円筒状の支柱３０の内部に導かれる。支柱３０内には濾過材４７が配置されており、排水チューブ４５を通して送られた水は、濾過材４７により濾過されて貯水タンク４１に戻される。
【００５５】
循環によって減った水分量に応じて、導水管４６を通して貯水タンク４１に水が補給される。貯水タンク４１内に水を貯めることで、脚部４０の重量が増して支柱３０の安定性を高める効果が得られる。
【００５６】
このように、支柱３０に対して直接又は間接に取り付けた給排水用部材によって給水や排水を行うことにより、大掛かりな給排水設備を用いずに、個々の立体栽培ユニットＵ１で水やりを完結させることができる。給排水用のチューブ類は、脚部４０に対する支柱３０の回転に追随可能になっている。なお、立体栽培ユニットＵ１は、図５に示すような給水チューブ４２を経由した上方からの潅水だけでなく、受水皿４３からプランター１０の排水筒１３を経由する底面側からの吸水にも対応する。
【００５７】
受水皿４３は、複数のプランター１０の下方に配されている。各プランター１０の重量は支持板３１で支えられており、下方の受水皿４３にはプランター１０の重さが作用しないので、受水皿４３は小型軽量に構成できる。また、受水皿４３は、立体栽培ユニットＵ１の意匠性を高めるような色や形状に設定することも可能である。
【００５８】
立体栽培ユニットＵ１の意匠性や美観の向上を目的として、支柱３０や支持板３１や受水皿４３などに発光体を設けてもよい。例えば、支柱３０の外面にＬＥＤランプやＬＥＤテープなどを取り付ける構成や、支柱３０を光透過性の材質で形成して支柱３０内に光源を配置する構成などが可能である。
【００５９】
また、意匠性や美観の用途だけでなく、プランター１０に植えた栽培物への補光用の光源として、立体栽培ユニットＵ１に発光体を設けることも可能である。例えば、受水皿４３の下面側にＬＥＤテープのような光源を取り付け、その下方に位置するプランター１０に向けて光を照射するような構成が可能である。
【００６０】
複数の立体栽培ユニットＵ１を所定の間隔で並べた栽培システムの使用例を図１１に示す。それぞれの立体栽培ユニットＵ１は支柱３０を中心として回転可能であるため、栽培段階での手入れの際や収穫の際に、作業者Ｍが移動することなく、支柱３０を回転させることで任意のプランター１０にアクセスでき、作業負担が軽減される。図１１に示す例では、作業者Ｍが立ち位置を変えずに、少なくとも周囲の４つの立体栽培ユニットＵ１の全てのプランター１０を対象として作業を行うことができる。
【００６１】
また、支柱３０が回転可能である立体栽培ユニットＵ１に対しては、少なくとも一方向からアクセスできればよいので、作業者の立ち位置以外の方向には、互いの立体栽培ユニットＵ１の間隔を接近させることができる。図１１の例では、図中の縦方向には、各立体栽培ユニットＵ１の間に作業者Ｍが立ち入り可能な間隔Ｄ１を確保する一方で、図中の横方向には、作業者Ｍの体幅よりも狭い間隔Ｄ２で各立体栽培ユニットＵ１を配置している。これにより、スペースを効率的に用いて多くの栽培物を栽培することができ、単位面積あたりの収量の増加を図れる。
【００６２】
個々の立体栽培ユニットＵ１が独立した構造であり、使用する立体栽培ユニットＵ１の数や配置は任意に選択できるので、様々な規模の栽培システムに自在に適用することができる。例えば、立体栽培ユニットＵ１を図１１のように規則的に並べるのではなく、ランダムな配置にしてもよい。また、立体栽培ユニットＵ１の設置密度を場所によって異ならせてもよい。
【００６３】
以上のように構成した立体栽培ユニットＵ１を用いる栽培システムは、支持板３１（３６）の支持縁部３５（３８）にプランター１０の折返し部２０を上から載せて嵌めるだけの簡単な構造であり、プランター１０の取り付け及び取り外しを容易に行える。そのため、苺を栽培する場合に、個別のプランター１０単位で、生育状況や環境に合わせたきめ細やかな管理や手入れを行い、生産効率を向上させることができる。
【００６４】
例えば、株の成長に伴って葉が茂って葉掻きなどの手入れをする場合、手入れの対象である株が植えられているプランター１０を取り外し、作業者の手元で整理防除できる。そのため、連続した培地容器に複数の株を密植するような栽培形態に比べて、手入れの作業効率が飛躍的に向上する。
【００６５】
先に述べたように、立体栽培ユニットＵ１は、上方の段から下方の段に至るまで全体的に日照量のムラが生じにくい構造であるが、複数のプランター１０の配置替えによって、それぞれの株に適したより緻密な日照管理を実現できる。また、立体栽培ユニットＵ１の周囲で温度のムラが生じる状況に対しても、プランター１０の配置替えによって、それぞれの株に適した温度管理を実現できる。このような調整時には、小型のプランター１０を手作業で着脱することで、環境条件が異なる株どうしを簡単に交換でき、大掛かりな設備資材を要さない。
【００６６】
立体栽培ユニットＵ１における個々のプランター１０内の培地は独立しているので、特定のプランター１０において培地を通して伝染する土壌病害が生じた場合でも、他のプランター１０への伝染を防ぐことができる。そして、土壌病害が生じたプランター１０を取り外すことで、被害を最小限に留めることができる。
【００６７】
立体栽培ユニットＵ１の基本構造は、自立する支柱３０と、支柱３０に対して上下方向や周方向に位置調整可能な支持板３１（３６）と、支持板３１（３６）に対して着脱容易なプランター１０によって成立している。この立体栽培ユニットＵ１は組み立てや分解が容易であり、立体栽培ユニットＵ１を設置する際の配置や数の自由度も高い。立体栽培ユニットＵ１を分解した状態の支柱３０や支持板３１（３６）は、部品ごとにまとめやすいシンプルな形状であるため、運搬しやすく、収納性にも優れている。
【００６８】
以上のように、立体栽培ユニットＵ１へのプランター１０の入れ替えの自由度や、複数の立体栽培ユニットＵ１の設置の自由度に優れるため、育苗段階用や収穫段階用などの施設を役割分担させて、同じ設備内に設けることも可能である。そして、後述する温度管理システムを用いた生産管理を組み合わせることによって、年間を通じて安定した量の苺の収穫維持が可能になり、既存の栽培システムでは困難であった高品質な一季なり苺の周年栽培も実現できる。
【００６９】
また、個々の立体栽培ユニットＵ１は、スペースに制約がある狭い場所への設置が可能であるため、栽培用の設備から離れた場所、例えば飲食店や商店の店舗内、観光地、オフィス、学校などに設置することができる。そして、苺の摘み取り段階に達したプランター１０を立体栽培ユニットＵ１に取り付けて摘み取り体験を行ったり、生育途中の株が植えられたプランター１０を立体栽培ユニットＵ１に取り付けて栽培体験（学習）を行ったりすることができる。既存の摘み取り体験型の収穫とは異なり、様々な場所や時期を選択可能であるため、産品の提供に高い付加価値をつけやすいという利点がある。
【００７０】
また、苺のような収穫用の作物以外に、花などの観賞用の植物を植えたプランター１０を取り付けて、立体栽培ユニットＵ１を植物観賞用のディスプレイ装置として利用することも可能である。立体栽培ユニットＵ１に取り付けた状態のプランター１０は、上端を外向きに傾けて支持されるので、各プランター１０に植えられた花などを外部から視認しやすく、鑑賞用途にも適している。さらに、上述した立体栽培ユニットＵ１における給排水システムを利用することで、水やりの手間を軽減できる。また、ディスプレイする花の種類などを変更したい場合は、プランター１０ごと交換すればよいので、手間がかからない。例えば、支柱３０と支持板３１（３６）などを据え付けておき、花を植えたプランター１０を定期的に交換するようなビジネスモデルを構築することができる。
【００７１】
栽培物が植えられた状態のプランター１０を立体栽培ユニットＵ１から取り外して、プランター１０ごとエンドユーザーに提供（販売など）することも可能である。底部に排水筒１３が突出している構造のプランター１０は、単体では自立させにくいので、プランター１０ごと提供する際には、プランター１０を収納するケース（箱）や袋を用いることが好ましい。このようなケースの一例が、先に述べた特許文献１（実用新案登録第３２１３８６７号公報）で提案されている。折返し部２０の裏側の上縁係合空間Ｓ２にケースの上端を挿入することで、プランター１０とケースが組み合わされる。このように、プランター１０に設けた折返し部２０は、立体栽培ユニットＵ１の支持板３１（３６）への取り付けと、ケースの取り付けの両方に用いることができ、利便性が高い。
【００７２】
続いて、図１２から図１５を参照して、栽培システムの第２の形態を説明する。この栽培システムは、ラック型の立体栽培ユニットＵ２によって構成される。立体栽培ユニットＵ２は、上下方向に向けて立設される支柱（支柱部）５０に対して、水平方向に延びる第１支持バー（容器支持部、第１支持部）５１と第２支持バー（容器支持部、第２支持部）５２を組み付けて構成されている。第１支持バー５１及び第２支持バー５２が延びる長手方向を、立体栽培ユニットＵ２における奥行き方向とする。また、奥行き方向に対して垂直な短手方向（後述する接続バー５３が延びる方向）を、立体栽培ユニットＵ２における幅方向とする。支柱５０と第１支持バー５１と第２支持バー５２はそれぞれ、内部が中空のパイプからなり、一例としてアルミニウム製のパイプ材によって形成することができる。
【００７３】
図１４に示すように、複数本の支柱５０が奥行き方向へ所定の間隔で建てられる。それぞれの支柱５０は、地面Ｇに刺さって自立する状態にある。支柱５０の下部には、地面Ｇとの接触面積を大きくして安定性を向上させる台座５０ａが設けられている。支柱５０を地面Ｇに対して略垂直に立てた状態で、支柱５０の中心を通って上下方向に延びる中心線Ｃ３を、図１２及び図１３に示した。
【００７４】
第１支持バー５１と第２支持バー５２は、複数本の支柱５０に架け渡されるようにして、奥行き方向へ平行に延びる。より詳しくは、図１２及び図１３に示すように、各支柱５０には、幅方向へ延びる接続バー５３が締結具５３ａを介して取り付けられており、接続バー５３の一端と他端に第２支持バー５２を固定すると共に、接続バー５３の途中位置で第１支持バー５１を上に載せて固定している。接続バー５３に対する第１支持バー５１と第２支持バー５２の取り付けは、着脱可能な締結具（クランプなど）を介して行ってもよいし、溶接などで固定してもよい。立体栽培ユニットＵ２の分解や移動が想定される場合には、着脱可能な締結具を用いることが好ましい。締結具５３ａの取り付け位置を変えることで、支柱５０に対する接続バー５３の固定位置を上下方向に変更することができる。そして、接続バー５３の位置変更に応じて、上下方向への第１支持バー５１及び第２支持バー５２の位置（高さ）が変化する。
【００７５】
以上のようにして各部材を組み付けると、支柱５０を挟んで二組の第１支持バー５１と第２支持バー５２が支持される、立体栽培ユニットＵ２の幅方向において、各組の第１支持バー５１が支柱５０に近く位置し、各組の第２支持バー５２が支柱５０から遠く位置する。また、接続バー５３上に載せられる第１支持バー５１は、接続バー５３と同じ高さにある第２支持バー５２よりも高く位置する。支柱５０を挟んで対称に配置された二組の第１支持バー５１と第２支持バー５２が、一つの支持段を構成する。そして、上下方向に位置を異ならせて、複数の支持段（図１２、図１４及び図１５の構成例では３つの支持段）が設けられている。この複数の支持段のそれぞれに複数のプランター１０を支持して、ラック型の立体栽培ユニットＵ２が構成される。
【００７６】
プランター１０の構成は上述の通りであり、上端側の４辺に沿って折返し部２０が形成されている。この４辺の折返し部２０のうち互いに平行な２辺に沿う折返し部２０を、第１支持バー５１と第２支持バー５２に載せる（第１支持バー５１と第２支持バー５２が折返し部２０を下方から支持する）ことによって、プランター１０が吊り下げ状態で支持される。図１２及び図１３に示すように、第１支持バー５１と第２支持バー５２の上下方向の位置の差によって、プランター１０は、支柱５０に近い側を高くし、支柱５０から遠い側を低くした傾きをもって支持される、つまり、先に説明した立体栽培ユニットＵ１と同様に、上方に向かうにつれて、プランター１０の中心線Ｃ１（図１）が、支柱５０の中心線Ｃ３から離れるように、プランター１０の取り付け角が設定される。
【００７７】
立体栽培ユニットＵ２に対するプランター１０の取り付けの向きは、４つの折返し部２０のうちいずれを第１支持バー５１と第２支持バー５２に載せるかによって選択できる。栽培物が苺の場合には、立体栽培ユニットＵ２のうち幅方向の中央側（支柱５０側）にランナーが向くようにプランター１０の向きを設定するとよい。これにより、立体栽培ユニットＵ２のうち幅方向の外側寄りに花や実が成り、手入れや収穫を行いやすくなる。角錐型のプランター１０は、第１支持バー５１及び第２支持バー５２に対する取り付け方向の変更が容易であり、一株ごとの方向設定を簡単に行える。
【００７８】
そして、立体栽培ユニットＵ２の各支持段において、奥行き方向へ複数のプランター１０が並べて支持される（図１４）。第１支持バー５１及び第２支持バー５２は、奥行き方向での個々のプランター１０設置位置を制限しない形状であるため、奥行き方向へのプランター１０どうしの間隔は、任意に設定できる。図１４に示す例では、隣り合うプランター１０の間にほとんど隙間がない近接配置にしており、単位面積あたりの収量を最大限に確保できる。図１２及び図１３に示すように、立体栽培ユニットＵ２の幅方向では、各支持段で２列のプランター１０が支柱５０を挟んで支持され、２列のプランター１０は支柱５０の中心線Ｃ３に対して互いに逆向きに傾いている。
【００７９】
立体栽培ユニットＵ２は、プランター１０に対する給水とプランター１０からの排水を行う給排水システムを備えている。この給排水システムを構成する要素（給排水用部材）について説明する。図１２及び図１３に示すように、各支持段を構成する第１支持バー５１の下方には、奥行き方向へ延びる給水管５４が、支柱５０に対して取り付けられている。給水管５４から給水チューブ５５が延びており、給水チューブ５５の先端に滴下部５６が設けられる。各プランター１０に対して滴下部５６が挿入される。図示を省略する貯水部から給水管５４内に水が送られ、給水チューブ５５と滴下部５６を通じてプランター１０内への給水が行われる。
【００８０】
図１２及び図１３に示すように、給水管５４の下方には、奥行き方向へ延びる一対の下方バー５７が、支柱５０に対して取り付けられている。一対の下方バー５７上には、奥行き方向に延びる排水樋５８が取り付けられる。排水樋５８は、第１支持バー５１及び第２支持バー５２に支持されたプランター１０の下方に位置し、排水筒１３を通って落下した余分な水を受けて流す水路を形成する。プランター１０の重量は第１支持バー５１及び第２支持バー５２で支えられており、排水樋５８にはプランター１０の重さが作用しないので、排水樋５８は小型軽量に構成できる。また、排水樋５８に着色したり模様をつけたりして、立体栽培ユニットＵ２の外観の向上を図ることもできる。
【００８１】
なお、立体栽培ユニットＵ２は、図１２や図１３に示すような上方からの潅水だけでなく、排水樋５８からプランター１０の排水筒１３を経由する底面側からの吸水にも対応する。
【００８２】
立体栽培ユニットＵ２のそれぞれの支持段には、プランター１０の外側を覆うようにシート材Ｐを取り付けることができる。シート材Ｐは立体栽培ユニットＵ２の奥行き方向に長く延び、シート材Ｐの上側の縁部が第２支持バー５２に取り付けられ、シート材Ｐの下側の縁部が下方バー５７に取り付けられる。取り付けられたシート材Ｐは、第２支持バー５２から下方バー５７にかけての範囲でプランター１０の側方を覆う。そのため、シート材Ｐを取り付けた状態で立体栽培ユニットＵ２を側方から見ると、各プランター１０の大部分はシート材Ｐの背後に位置しており、プランター１０の上端側の一部のみが露出する。なお、図１４では、シート材Ｐを透視した状態でプランター１０を示している。
【００８３】
シート材Ｐには様々な機能を持たせることができる。例えば、シート材Ｐを反射材で被覆するなどして光の反射率を高くさせると、シート材Ｐで反射した光を下方の支持段に到達させ、下方の支持段に支持されたプランター１０の栽培物への補光効果を得ることができる。また、遮熱性や保温性のある材質でシート材Ｐを形成することによって、支持段に支持されたプランター１０の周りの温度環境をコントロールすることができる。このように、目的とする機能に応じたシート材Ｐを選択して取り付けることにより、最適化された栽培環境を得ることができる。また、シート材Ｐは立体栽培ユニットＵ２の側面部分に位置するので、シート材Ｐに着色したり模様をつけたりして、立体栽培ユニットＵ２の外観の向上を図ることもできる。
【００８４】
立体栽培ユニットＵ２の側部を覆うシート材Ｐとは別に、立体栽培ユニットＵ２の奥行き方向の端部（正面側や背面側）を覆うような装飾ボードを備えてもよい。ラック型の立体栽培ユニットＵ２では、幅方向の側方からプランター１０に対してアクセスすることになるので、奥行き方向の端部である正面側や背面側を装飾ボードで覆っても、手入れや収穫の作業の妨げにはならない。
【００８５】
図１３に示すように、下方バー５７の下面側にＬＥＤテープ５９のような光源を取り付けることも可能である。ＬＥＤテープ５９は下向きに光を照射し、直下に位置する支持段への補光を実現するものである。また、ＬＥＤテープ５９などの光源を、立体栽培ユニットＵ２の装飾性向上の用途で取り付けてもよい。
【００８６】
以上の構成からなる立体栽培ユニットＵ２は、折返し部２０を第１支持バー５１と第２支持バー５２に載せてプランター１０を支持するので、プランター１０の着脱を容易に行うことができる。そのため、先に説明した立体栽培ユニットＵ１と同様に、苺などの栽培物の生育状況や周辺環境に応じて、個々のプランター１０の配置替えや施設の仕様変更を自在に行い、生産効率の向上や収量の飛躍的増加を実現することができる。つまり、ラック構造の立体栽培ユニットＵ２は、生産効率の向上や、高い付加価値での産品提供に関して、上述したツリー構造の立体栽培ユニットＵ１と同様の効果を得ることができる。
【００８７】
立体栽培ユニットＵ２に取り付けられた個々のプランター１０は、上端側が支柱５０から離れるように傾けて支持されているので、プランター１０に植えられた栽培物に対して、斜め上方からの光線を到達させやすい。
【００８８】
また、培地が連続する栽培容器を多段の棚板上に載せる既存のラック構造の栽培システムとは異なり、複数のプランター１０を吊り下げた構造の立体栽培ユニットＵ２は、２列のプランター１０の間に水平方向の断面積が小さい（スリムな）支柱５０が位置するので、斜め上方からプランター１０上の栽培物に向かう光線が遮られにくい。そのため、複数の支持段を備えていながら各支持段の採光性が確保され、下方の支持段に位置する栽培物への光量不足が生じにくい。加えて、上述したシート材Ｐや５９による補光効果を併用することで、さらに効率的に栽培物への配光を行うことができる。
【００８９】
また、支柱５０の両側で複数のプランター１０を多段に吊り下げて支持する構造は、プランター１０周りの通気性に優れており、立体栽培ユニットＵ２の上部などに熱がこもりにくい。そして、各プランター１０の周りに空間が確保されるので、栽培物に対する温度管理も行いやすい。
【００９０】
複数の立体栽培ユニットＵ２を並べた栽培システムの使用例を図１５に示す。奥行き方向に長い立体栽培ユニットＵ２を、幅方向に間隔を空けて複数列配置することで、限られたスペースに多数のプランター１０を効率良く配置することができる。また、上述したように、個々の立体栽培ユニットＵ２はスリムで採光性や通気性に優れる構成であるため、隣接する立体栽培ユニットＵ２をある程度近づけても、栽培物の生育に影響が及びにくい。
【００９１】
立体栽培ユニットＵ２は、支柱５０、第１支持バー５１、第２支持バー５２、接続バー５３など、パイプ状の部材を組み合わせて構成されている。これらの各部材を着脱可能な締結具を介して接続させることにより、立体栽培ユニットＵ２を分解して運搬や収納を行いやすくできる。また、支柱５０、第１支持バー５１、第２支持バー５２などの長さを変更することで、立体栽培ユニットＵ２を多様な環境に設置することができる。
【００９２】
立体栽培ユニットＵ２を構成する柱群を、農業ハウスなどの構造体として利用することが可能である。その適用例を図１６から図１８に示す。
【００９３】
図１６の構成は、地面Ｇ上に、幅方向に間隔を空けて複数列の立体栽培ユニットＵ２を配置し、それぞれの立体栽培ユニットＵ２の支柱５０の上端を梁部６０で接続したものである。梁部６０は、支柱５０などと同様のパイプ材で構成される。図示を省略するが、奥行き方向（図１６の紙面に対して垂直な方向）に所定の間隔で複数本の梁部６０を配置する。各梁部６０を介して複数の立体栽培ユニットＵ２を接続させることで、全体として強固な構造体になる。そして、梁部６０上に防風防虫ネットやビニールなどの外装材６１を掛けることで、簡易的な農業ハウスになる。
【００９４】
図１７の構成は、図１６に示す複数列の立体栽培ユニットＵ２と梁部６０に加えて、梁部６０から上方に延びる真束部６２、真束部６２の上端から斜め下方に延びる合掌部６３、真束部６２と６３を接続する方丈部６４、合掌部６３から下方に延びる下垂部６５を組み合わせて、小屋組み状の構造体にしたものである。真束部６２、合掌部６３、方丈部６４、下垂部６５はそれぞれ、支柱５０などと同様のパイプ材で構成される。そして、小屋組み状の構造体の外面を、防風防虫ネット、ビニール、外装パネルなどの外装材６６で覆うことによって、本格的な栽培ハウスになる。
【００９５】
図１８の構成は、従来型のパイプ型ビニールハウス６７を、立体栽培ユニットＵ２及び梁部６０からなる構造体で支持したものである。立体栽培ユニットＵ２を含む構造体を組み合わせることでパイプ型ビニールハウス６７の支持強度が向上し、パイプ型ビニールハウス６７の倒壊リスクを飛躍的に軽減できる。
【００９６】
図１６から図１８に示す構成は一例であり、複数の立体栽培ユニットＵ２の列数や間隔、あるいは個々の立体栽培ユニットＵ２におけるプランター１０の支持段数などは、任意に設定可能である。例えば、立体栽培ユニットＵ２の列数を増やすことで、支柱５０の数が多くなり構造体の強度が向上する。また、立体栽培ユニットＵ２の列数が多くなれば、配置されるプランター１０の数も多くなるので、単位面積あたりの収穫量増大を見込める。
【００９７】
図１６から図１８の構成は、立体栽培ユニットＵ２を構成する支柱５０を地面Ｇに刺して支持したものである。これとは異なり、複数の支柱５０と梁部によって自立可能なラーメン構造の構造体を形成してもよい。このような自立型構造体は、地面に基礎を打てない屋内や屋上などにも設置が可能であり、立体栽培ユニットを利用した農業ハウスの設置の自由度が向上する。
【００９８】
続いて、図１９から図２２を参照して、栽培システムの第３の形態を説明する。この栽培システムは、プランター１０に植えた栽培物に対する温度管理を効率的に行う温度管理システムである。
【００９９】
温度管理システム７０は、複数のプランター１０を並べて支持する支持ラック７１を備える。支持ラック７１には、プランター１０を２列にして複数個並べることが可能である。支持ラック７１の長手方向を温度管理システム７０における奥行き方向とし、支持ラック７１の短手方向を温度管理システム７０における幅方向とする。
【０１００】
図２０及び図２１に示すように、支持ラック７１は、上下方向に向けて立設される側部支柱（支柱部）７２を幅方向の両側に有する。幅方向の両側に配された対をなす側部支柱７２は、幅方向に延びる上桁部７３と下桁部７４で接続されている。幅方向における上桁部７３の中央付近から、上方に向けて中央支柱（支柱部）７５が立設されている。
【０１０１】
図２０及び図２１に示すように、幅方向の両側に位置する側部支柱７２の間に形成される支持ラック７１の内側空間は、上桁部７３よりも上方の上部空間Ｑ１と、上桁部７３と下桁部７４の間の下部空間Ｑ２に区分けされる、上部空間Ｑ１は、中央支柱７５を境にして、幅方向で２つの上部空間Ｑ１Ａと上部空間Ｑ１Ｂに区分けされる。
【０１０２】
奥行き方向に位置を異ならせて複数本の側部支柱７２及び中央支柱７５が設けられている（図１９参照）。奥行き方向に並ぶ複数の中央支柱７５の上端を接続するように、第１支持バー（容器支持部、第１支持部）７６が奥行き方向に延びている。また、奥行き方向に並ぶ複数の側部支柱７２の上端を接続するように、第２支持バー（容器支持部、第２支持部）７７が奥行き方向に延びている。つまり、幅方向に位置を異ならせて２つの第２支持バー７７が平行に延びており、２つの第２支持バー７７の間に第１支持バー７６が平行に延びている。図２０に示すように、側部支柱７２の上端よりも中央支柱７５の上端の方が高い位置にある。これに対応して、２つの第２支持バー７７よりも第１支持バー７６の方が高い位置にある。
【０１０３】
支持ラック７１を構成する側部支柱７２、上桁部７３、下桁部７４、中央支柱７５、第１支持バー７６、第２支持バー７７はそれぞれ、内部が中空のパイプからなっている。一例として、これらの部材を、アルミニウム製のパイプ材によって形成することができる。
【０１０４】
支持ラック７１の上部空間Ｑ１にプランター１０が取り付けられる。プランター１０の構造は先に述べた通りである。プランター１０の上端側の４辺に沿って設けた折返し部２０のうち、互いに平行な２辺に沿う折返し部２０を、第１支持バー７６と第２支持バー７７に載せることによって、プランター１０が支持される。図２０に示すように、第１支持バー７６と第２支持バー７７の上下方向の位置の差によって、プランター１０は、中央支柱７５に近い側を高くし、側部支柱７２に近い側を低くした傾きをもって支持される、つまり、先に説明した各形態の栽培システム（立体栽培ユニットＵ１、Ｕ２）と同様に、上方に向かうにつれてプランター１０の中心線Ｃ１（図１）が中央支柱７５から離れるように、支持ラック７１に対するプランター１０の取り付け角が設定される。中央支柱７５を挟んで２列にプランター１０が支持され、一方の列のプランター１０が上部空間Ｑ１Ａ内に挿入され、他方の列のプランター１０が上部空間Ｑ１Ｂ内に挿入される。
【０１０５】
上部空間Ｑ１Ａ側に配したプランター１０と上部空間Ｑ１Ｂ側に配したプランター１０が、互いの上端を離間させる方向に傾けて支持されるため、各列のプランター１０で花芽方向を揃えやすい。また、２列のプランター１０に植えた栽培物の葉などが重なりにくく、日照のムラを防ぐことができる。具体的には、栽培物が苺の場合には、支持ラック７１の幅方向の中央側（中央支柱７５側）にランナーが向くようにプランター１０の向きを設定するとよい。角錐型のプランター１０は、第１支持バー７６及び第２支持バー７７に対する取り付け方向の変更が容易であり、支持ラック７１に対する一株ごとの方向設定を簡単に行える。
【０１０６】
温度管理システム７０は、プランター１０に対する給水とプランター１０からの排水を行う給排水システムを備えている。この給排水システムを構成する要素（給排水用部材）について説明する。図２０に示すように、上部空間Ｑ１Ａと上部空間Ｑ１Ｂのそれぞれの上部には、奥行き方向に延びる給水管７８が設けられている。また、上部空間Ｑ１Ａと上部空間Ｑ１Ｂ内のそれぞれの底部には、奥行き方向に延びる下方水路７９が設けられている。下方水路７９は、プランター１０の排水筒１３の下方に位置している。支持ラック７１に取り付けられたプランター１０に対する水の供給は、給水管７８を経由する上端側からの頭上潅水と、下方水路７９を経由する底部側からの底面吸水の両方が可能である。底面吸水の場合には、下方水路７９内に貯留した水を、吸水スティック８０を通じてプランター１０内に吸い上げる。また、排水筒１３から排出された余分な水を、下方水路７９で受けて流すことができる。
【０１０７】
図１９に示すように、奥行き方向で支持ラック７１の両側に熱交換器８１が設けられ、熱交換器８１から管状のアルミダクト（流体流通管）８２が延びている。図示を省略する操作手段（操作盤や携帯型の操作端末など）を介して、熱交換器８１の冷却運転と暖房運転を切り替えることができる。アルミダクト８２は、支持ラック７１の内部を通っている。より詳しくは、両側の熱交換器８１の間を２本のアルミダクト８２が接続しており、このうち１本のアルミダクト８２が下部空間Ｑ２内を通っている。熱交換器８１で冷却又は加温された冷暖空気が、それぞれのアルミダクト８２内に送られる。熱交換器８１とアルミダクト８２を循環する冷暖空気の空気流Ｒを図１９に示した。
【０１０８】
図２０及び図２１に示すように、支持ラック７１の両側には外部断熱材８３が設けられている。また、下部空間Ｑ２の内部には、内部断熱材８４が設けられている。内部断熱材８４は、下部空間Ｑ２内に通されたアルミダクト８２の幅方向の両側と下方とを囲むコ字状の形状を有している。上部空間Ｑ１に通じる下部空間Ｑ２の上面側には、内部断熱材８４が設けられていない。外部断熱材８３と内部断熱材８４はそれぞれ、断熱性と防水性を有するシート材であり、支持ラック７１の内部の冷却や加温の効果を高めることができる。内部断熱材８４は上部空間Ｑ１側にのみ開かれた形状であり、外部断熱材８３は上部空間Ｑ１や下部空間Ｑ２の側方を覆っている。従って、アルミダクト８２に通される冷気や暖気の温度を、周囲に分散させずに上部空間Ｑ１へ集中的に伝えることができる。なお、図１９では、外部断熱材８３と内部断熱材８４を透視した状態で支持ラック７１の内部を示している。
【０１０９】
アルミダクト８２に冷気を通すと、アルミダクト８２を囲む下部空間Ｑ２内の空気から熱が奪われて冷却される。下部空間Ｑ２内の冷却効果は、外部断熱材８３及び内部断熱材８４で遮られていない上部空間Ｑ１に及び、上部空間Ｑ１内の空気が冷却される。アルミダクト８２に暖気を通すと、アルミダクト８２を囲む下部空間Ｑ２内の空気に伝熱されて加温される。下部空間Ｑ２内の加温効果は、外部断熱材８３及び内部断熱材８４で遮られていない上部空間Ｑ１に及び、上部空間Ｑ１内の空気が加温される。プランター１０は上端側の折返し部２０で支持されており、プランター１０のうち折返し部２０よりも下方の本体部分は、上部空間Ｑ１Ａと上部空間Ｑ１Ｂに挿入されている。従って、プランター１０の周辺空間である上部空間Ｑ１内の空気が冷却や加温されると、プランター１０が外側から全体的にムラなく冷やされたり暖められたりする。その結果、冷却や暖房の効果がプランター１０の局所に限定されず、優れた温度調整効果を得ることができる。例えば、プランター１０内の根圏が広がりやすくなる。
【０１１０】
アルミダクト８２を形成するアルミニウムは伝熱効果に優れており、アルミダクト８２内を通る冷暖空気と、下部空間Ｑ２及び上部空間Ｑ１内の空気との間で、効率的に熱伝導を行わせることができる。また、アルミダクト８２内を冷暖空気が循環し続けるヒートパイプ構造であるため、一過性の熱伝導ではなく、冷暖効果を継続させることができる。また、熱交換器８１からアルミダクト８２にかけて、外部に対して閉じられた閉鎖系で冷暖空気を循環させるので、冷暖空気が外部へ吹き出ることによる温度ロスが生じない。従って、要求される温度を省エネルギーで維持することができる。
【０１１１】
図２２は、温度管理システム７０の構成例を示したものである。２つの支持ラック７１を幅方向に並べて設置し、それぞれの支持ラック７１（下部空間Ｑ２）内にアルミダクト８２を通している。先に説明したように、個々の支持ラック７１には２列のプランター１０が支持されるため、図２２の構成例では、２つの支持ラック７１によって合計で４列のプランター１０が支持される。
【０１１２】
温度管理システムの異なる構成例として、アルミダクト８２の本数を増やしたり、複数本のアルミダクト８２が延びる向きを非平行にしたりすることも可能である。アルミダクト８２は配管形状やレイアウトの自由度が高いため、図示の形態以外にも様々なレイアウトの温度管理システムを構築することができる。
【０１１３】
上記の温度管理システム７０では、熱交換器８１とアルミダクト８２に空気を循環させているが、空気以外の流体（温水や冷却水など）を循環させる温度管理システムへの適用も可能である。
【０１１４】
苺栽培における既存の温度管理システムとして、クラウン部を局所冷却する技術、苺を植えた培土に対する地温加温技術、ハウス内全体を冷暖房する技術、などが知られている。クラウン部の局所冷却は、効果が限定的であり、根圏や果実品質の管理において高い効果を得ることが難しい。培土の地温加温は、要求される温度を得るためのコストが高くなりやすい、温度の均一化が難しく根圏が充実しにくい、といった課題がある。ハウス内全体の冷暖房は、栽培物の周辺以外の余分な空間まで温めたり冷やしたりするのでコストが高くなりやすい、栽培物の周辺での高精度な温度コントロールが難しく局所的な冷暖を別途必要とする場合がある、といった課題がある。
【０１１５】
これらの従来技術に比べて、本実施形態の温度管理システム７０は、省エネルギーでプランター１０の周辺をムラなく高精度に冷暖することができる。特に、プランター１０の上端側の折返し部２０を下方から支持しているので、折返し部２０よりも下側のプランター１０の外面全体が、上部空間Ｑ１内の空気に触れるようになり、プランター１０の外面全体に対して均一な冷暖効果を及ぼすことができる。また、冷暖を行った場合にプランター１０内の培地が乾きにくい。
【０１１６】
さらに、温度管理システム７０では、プランター１０に対する給排水システムを備えているので、栽培物の生育環境を総合的に管理することができる。
【０１１７】
温度管理システム７０では、第１支持バー７６と第２支持バー７７に折返し部２０を載せてプランター１０を支持する構造であるため、支持ラック７１へのプランター１０の着脱を容易に行うことができる。個々のプランター１０における栽培物の状態に応じて、プランター１０を適宜着脱して効果を調整できる。また、先に説明した立体栽培ユニットＵ１、Ｕ２と温度管理システム７０との間でのプランター１０の入れ替えを、手間をかけずに行うことができる。温度管理システム７０による温度管理を用いることで、年間を通じて安定した量の苺の栽培及び収穫が可能になり、既存の栽培システムに比べて飛躍的に収益性が向上する。
【０１１８】
以上に説明したように、本発明を適用した栽培システムでは、状況に応じてプランター１０の移動や配置替えを行って各システムを使い分けることで、栽培の初期段階から収穫、さらには産品の提供（販売）に至るまでの各工程を効率よく行うことが可能になる。
【０１１９】
実施の形態として示した立体栽培ユニットＵ１、Ｕ２及び温度管理システム７０は、プランター１０の上端側に設けた折返し部２０を下方から支持して取り付ける構造（吊り下げ構造）を共通して備えている。この吊り下げ構造により、折返し部２０よりも下方でのプランター１０周りの構成に制約がなくなり、採光性、通気性、温度管理のしやすさなどが向上する。また、プランター１０単位での移動や配置替えが容易であり、個々の栽培物に応じたきめ細やかな生産管理を無駄なく行うことができる。
【０１２０】
また、立体栽培ユニットＵ１、Ｕ２及び温度管理システム７０では、上下方向に延びる支柱部（支柱３０、支柱５０、側部支柱７２、中央支柱７５）に対して、複数のプランター１０がそれぞれ傾けられて支持されている。これにより、それぞれのプランター１０において採光性などの生育環境を良好にすることができる。
【０１２１】
プランター１０単位での生産管理により、所定の収穫時期に合わせた生産量の調整を行いやすくなる。これにより、摘み取り体験型の産品提供を、年間を通じて行うことも可能になる。また、先に述べたように、移動や設置が容易であるツリー型の立体栽培ユニットＵ１を用いれば、あらゆる場所において摘み取り体験型の産品提供を行うことが可能になる。従って、産品の提供に高い付加価値をつけて収益性の向上を図ることができる。
【０１２２】
また、以上の栽培システムを利用した栽培物の提供方法によれば、栽培物の出荷効率の向上や、栽培物の提供態様の自由度の向上を実現することができる。立体栽培ユニットＵ１、Ｕ２はいずれも、プランター１０の入れ替えによって、提供に適した状態の栽培物を選択して供給することができる。また、栽培物を摘み取った後のプランター１０の交換なども容易に行える。さらに、立体栽培ユニットＵ１、Ｕ２では、上下方向に延びる支柱部（支柱３０、支柱５０）に対して外向きに傾斜した状態で各プランター１０を支持するので、栽培物の収穫の行いやすさや、栽培物の見栄えの良さにおいても優れている。
【０１２３】
以上、図示実施形態に基づいて説明したが、本発明は上記実施の形態に限定されず、種々変更して実施することが可能である。上記実施の形態において、添付図面に図示されている構成や制御等については、これに限定されず、本発明の効果を発揮する範囲内で適宜変更することが可能である。その他、本発明の目的の範囲を逸脱しない限りにおいて適宜変更して実施することが可能である。
【０１２４】
上記実施形態では、プランター１０の折返し部２０を支持する構成として、立体栽培ユニットＵ１において支持板３１（３６）の支持縁部３５（３８）を備え、立体栽培ユニットＵ２において第１支持バー５１及び第２支持バー５２を備え、温度管理システム７０において第１支持バー７６及び第２支持バー７７を備えている。これらの構成は、製造が容易で、プランター１０の支持強度に優れるという利点がある。しかし、上記実施形態とは異なる構成でプランター１０を支持することも可能である。
【０１２５】
一例として、複数の支柱間に張り渡したワイヤなどの索状体や、支柱から半径方向に突出する突出部などに対して、プランター１０の折返し部２０を引っ掛けて支持することも可能である。この場合、支柱に対して傾きを持たせてプランター１０を支持させるために、索状体や突出部は、支柱から離れた位置で折返し部２０を支持するように構成される。
【０１２６】
上記実施形態のプランター１０は、支持を受ける部分（外側突出部）として、下方に向けて延びるカール形状の折返し部２０を備えている。折返し部２０は、支持板３１（３６）の支持縁部３５（３８）に係合させたときの安定性に優れるという利点がある。また、プランター１０を収容するためのケースの上端を挿入するための部分として、折返し部２０を利用できる。しかし、プランター１０を支持させるという要件を満たすものであれば、折返し部２０以外の形状の外側突出部を用いることも可能である。例えば、折返し部２０のようなカール形状ではなく、傾斜側面部１１の上端から側方へ突出する中実構造の外側突出部（折返しのないフランジなど）や、傾斜側面部１１の上端側の一部から突出するフック状の外側突出部を適用してもよい。
【０１２７】
上記実施形態の立体栽培ユニットＵ１、Ｕ２や温度管理システム７０では、汎用性が高く低コストに得られる円筒状のパイプによって支柱類を構成している。しかし、円筒状のパイプ以外に、角筒状のパイプ、複数本の棒を組み合わせた構造体、内部に空間を有さない中実の柱状体、などによって支柱類を構成することも可能である。
【０１２８】
上記実施形態のプランター１０は四角錐形状であり、立体栽培ユニットＵ１、Ｕ２や温度管理システム７０に対してスペース効率良く並べやすいという特徴がある。しかし、四角錐形状以外の形状の栽培容器を用いることも可能である。例えば、折返し部２０を有する上端部分は上記実施形態のプランター１０と同様の正方形状に構成され、上端以外の部分（培土を入れる部分）が円錐状や円筒状であるプランターを栽培容器として用いることも可能である。あるいは、支柱に取り付ける支持板を円盤状にし、この円盤状の支持板の外縁形状に沿う円弧形状のプランターを栽培容器として用いることも可能である。また、底部から突出する排水筒１３を有さずに、自立可能な形態のプランターを栽培容器として用いることもできる。
【０１２９】
上記実施形態は、主に苺の栽培への適用例として説明したが、本発明の栽培システムは、苺以外の栽培にも適用可能である。具体的には、苺以外の果物や野菜類、食用作物以外の観賞用の草花類などの栽培に用いてもよい。
【産業上の利用可能性】
【０１３０】
以上説明したように、本発明の栽培システム及び栽培物の提供方法は、栽培物の生産性、出荷効率、栽培物の提供態様の自由度などに優れるという効果を有し、特に、既存の栽培技術では高収益化に限界があった苺などの栽培や提供に有用である。
【符号の説明】
【０１３１】
１０    ：プランター（栽培容器）
１１    ：傾斜側面部（側面部）
１２    ：底面部
１３    ：排水筒
１４    ：底蓋
１６    ：底受け部材
２０    ：折返し部（外側突出部）
３０    ：支柱（支柱部）
３１    ：支持板（容器支持部）
３２    ：ベース部（板状部）
３５    ：支持縁部
３６    ：支持板（容器支持部）
３７    ：ベース部（板状部）
３８    ：支持縁部
４０    ：脚部
４１    ：貯水タンク（給排水用部材）
４２    ：給水チューブ（給排水用部材）
４３    ：受水皿（給排水用部材）
４５    ：排水チューブ（給排水用部材）
５０    ：支柱（支柱部）
５１    ：第１支持バー（容器支持部、第１支持部）
５２    ：第２支持バー（容器支持部、第２支持部）
５４    ：給水管（給排水用部材）
５５    ：給水チューブ（給排水用部材）
５８    ：排水樋（給排水用部材）
５９    ：ＬＥＤテープ
６０    ：梁部
６７    ：パイプ型ビニールハウス
７０    ：温度管理システム
７１    ：支持ラック
７２    ：側部支柱（支柱部）
７５    ：中央支柱（支柱部）
７６    ：第１支持バー（容器支持部、第１支持部）
７７    ：第２支持バー（容器支持部、第２支持部）
７８    ：給水管（給排水用部材）
７９    ：下方水路（給排水用部材）
８１    ：熱交換器
８２    ：アルミダクト（流体流通管）
８３    ：外部断熱材
８４    ：内部断熱材
Ｐ      ：シート材
Ｑ１    ：上部空間
Ｑ２    ：下部空間（栽培容器の下方の空間）
Ｓ１    ：プランターの内部空間
Ｓ２    ：上縁係合空間（外側突出部の内側）
Ｕ１    ：立体栽培ユニット
Ｕ２    ：立体栽培ユニット
【図１】
2020184927.tif 000003
【図２】
2020184927.tif 000004
【図３】
2020184927.tif 000005
【図４】
2020184927.tif 000006
【図５】
2020184927.tif 000007
【図６】
2020184927.tif 000008
【図７】
2020184927.tif 000009
【図８】
2020184927.tif 000010
【図９】
2020184927.tif 000011
【図１０】
2020184927.tif 000012
【図１１】
2020184927.tif 000013
【図１２】
2020184927.tif 000014
【図１３】
2020184927.tif 000015
【図１４】
2020184927.tif 000016
【図１５】
2020184927.tif 000017
【図１６】
2020184927.tif 000018
【図１７】
2020184927.tif 000019
【図１８】
2020184927.tif 000020
【図１９】
2020184927.tif 000021
【図２０】
2020184927.tif 000022
【図２１】
2020184927.tif 000023
【図２２】
2020184927.tif 000024